(57)【要約】 【課題】  小型化が容易なディスク装置を提供する。【解決手段】  ケース体１０の開口部近傍に配設した光センサ４１０が光ディスク１０を検出すると、回転軸２２２Ａが光ディスク１０の移動経路上から待避した後退位置にディスク処理部２００を回動させる。光ディスク１０が開口部からある程度進入すると、搬送手段４００が光ディスク１０を搬入させる。光ディスク１０が搬入完了位置に位置すると検知スイッチ４２０がオフし、回転軸２２２Ａが移動経路上に進出する進出位置にディスク処理部２００を回動させて光ディスク１０を軸支させる。光ディスク１０の排出要求により、ディスク処理部２００を後退位置に回動させて軸支状態を解除し、搬送手段４００を動作させて光ディスク１０を排出する。光センサ４１０が光ディスク１０を検出しなくなるとディスク処理部２００を進出位置に回動させる。【選択図】 図１
2005285238.tif 000002
【特許請求の範囲】
【請求項１】
ディスク状記録媒体が出し入れされる開口部を有したケース体と、
このケース体内に配設され、前記ディスク状記録媒体を回転可能に軸支する軸支部を有し前記軸支部が前記ディスク状記録媒体の移動経路上に進退可能に設けられた稼働部と、
前記ケース体内に設けられ前記ディスク状記録媒体の記録面に記録された各種情報を読み出す情報処理および前記記録面へ各種情報を記録する情報処理のうちの少なくともいずれか一方を実施する情報処理部と、
前記ケース体の前記開口部の近傍に設けられ前記ディスク状記録媒体の有無を検出するディスク検出手段と、
前記ケース体内に設けられ前記ディスク状記録媒体が前記情報処理部による前記情報処理可能な搬入完了位置に略位置することを検出する搬入検出手段と、
前記ディスク検出手段が前記ディスク状記録媒体を検出したことを認識すると前記軸支部が前記移動経路上から後退した状態に前記稼働部を動作させ、前記搬入検出手段が前記搬入完了位置を検出および前記ディスク検出手段が前記ディスク状記録媒体を検出できないことを認識すると前記軸支部が前記移動経路上に進出した状態に前記稼働部を動作させる制御をする稼働部制御手段と、
を具備したことを特徴としたディスク装置。
【請求項２】
請求項１に記載のディスク装置であって、
前記ディスク検出手段は、前記ディスク状記録媒体が前記移動経路上および前記搬入完了状態に位置する場合に前記ディスク状記録媒体を検出可能な位置に配設された
ことを特徴としたディスク装置。
【請求項３】
ディスク状記録媒体が出し入れされる開口部を有したケース体と、
このケース体内に配設され、前記ディスク状記録媒体を回転可能に軸支する軸支部を有し前記軸支部が前記ディスク状記録媒体の移動経路上に進退可能に設けられた稼働部と、
前記ケース体内に設けられ前記ディスク状記録媒体の記録面に記録された各種情報を読み出す情報処理および前記記録面へ各種情報を記録する情報処理のうちの少なくともいずれか一方を実施する情報処理部と、
前記ケース体の前記開口部近傍であって、前記ディスク状記録媒体が前記移動経路上に位置する場合に前記ディスク状記録媒体を検出するとともに前記ディスク状記録媒体が前記情報処理部による前記情報処理可能な搬入完了位置に位置する場合に前記ディスク状記録媒体を検出できない位置に設けられたディスク検出手段と、
前記ディスク検出手段にて前記ディスク状記録媒体を検出する場合には前記軸支部が前記移動経路上から後退した状態に前記稼働部を動作させ、前記ディスク状記録媒体を検出できない場合には前記軸支部が前記移動経路上に進出した状態に前記稼働部を動作させる制御をする稼働部制御手段と、
を具備したことを特徴としたディスク装置。
【請求項４】
請求項１ないし請求項４のいずれかに記載のディスク装置であって、
前記ケース体内に設けられ前記ディスク状記録媒体を前記開口部を介して前記ケース体外への排出の要求を検出する排出検出手段を具備し、
前記稼働部制御手段は、前記排出検出手段が前記ディスク状記録媒体の排出の要求を検出したことを認識すると、前記軸支部が前記移動経路上から後退した状態に前記稼働部を動作させる制御をする
ことを特徴としたディスク装置。
【請求項５】
ディスク状記録媒体が出し入れされる開口部を有したケース体と、
このケース体内に配設され、前記ディスク状記録媒体を回転可能に支持する軸支部を有し前記軸支部が前記ディスク状記録媒体の移動経路上に進退可能に設けられた稼働部と、
前記ケース体内に設けられ前記ディスク状記録媒体の記録面に記録された各種情報を読み出す情報処理および前記記録面へ各種情報を記録する情報処理のうちの少なくともいずれか一方を実施する情報処理部と、
前記ディスク状記録媒体が前記移動経路上に無い状態および前記ディスク状記録媒体が前記情報処理部による前記情報処理可能な搬入完了位置を検出すると、前記軸支部が前記移動経路上に位置して前記ディスク状記録媒体を軸支する状態に前記稼働部を進出させ、前記ディスク状記録媒体が前記移動経路上を移動する場合には、前記軸支部が前記移動経路上から後退した状態に前記稼働部を後退させる制御をする稼働部制御手段と、
を具備したことを特徴としたディスク装置。
【請求項６】
請求項５に記載のディスク装置であって、
前記稼働部制御手段は、
前記ケース体の前記開口部の近傍に設けられ前記ディスク状記録媒体の有無を検出するディスク検出手段と、前記ディスク状記録媒体が前記情報処理部による前記情報処理可能な搬入完了位置に略位置することを検出する搬入検出手段と、を備え、
前記ディスク検出手段が前記ディスク状記録媒体を検出したことを認識すると前記軸支部が前記移動経路上から後退した状態に前記稼働部を動作させ、前記搬入検出手段が前記搬入完了位置を検出および前記ディスク検出手段が前記ディスク状記録媒体を検出できないことを認識すると前記軸支部が前記移動経路上に進出した状態に前記稼働部を動作させる制御をする
ことを特徴としたディスク装置。
【請求項７】
請求項５または請求項６に記載のディスク装置であって、
前記ディスク検出手段は、前記ディスク状記録媒体が前記移動経路上および前記搬入完了位置に位置する場合に前記ディスク状記録媒体を検出可能な位置に配設された
ことを特徴としたディスク装置。
【請求項８】
請求項５に記載のディスク装置であって、
前記稼働部制御手段は、
前記ディスク状記録媒体が前記情報処理部による前記情報処理可能な搬入完了位置に略位置することを検出する搬入検出手段と、前記ケース体の前記開口部近傍であって前記ディスク状記録媒体が前記移動路以上に位置する場合に前記ディスク状記録媒体を検出するとともに前記ディスク状記録媒体が前記搬入完了位置に略位置する場合に前記ディスク状記録媒体を検出できない位置に設けられたディスク検出手段と、を備え、
前記ディスク検出手段にて前記ディスク状記録媒体を検出する場合には前記軸支部が前記移動経路上から後退した状態に前記稼働部を動作させ、前記ディスク状記録媒体を検出できない場合には前記軸支部が前記移動経路上に進出した状態に前記稼働部を動作させる制御をする
ことを特徴としたディスク装置。
【請求項９】
請求項５ないし請求項８のいずれかに記載のディスク装置であって、
前記稼働部制御手段は、
前記ケース体内に設けられ前記ディスク状記録媒体を前記開口部を介して前記ケース体外への排出の要求を検出する排出検出手段を備え、
前記排出検出手段が前記ディスク状記録媒体の排出の要求を検出したことを認識すると、前記軸支部が前記移動経路上から後退した状態に前記稼働部を動作させる制御をする
ことを特徴としたディスク装置。
【請求項１０】
請求項１ないし請求項９のいずれかに記載のディスク装置であって、
前記稼働部は、前記軸支部が周縁近傍に設けられ前記軸支部が設けられた位置とは反対側の周縁近傍の位置で前記軸支部が設けられた側を回動端として前記ケース体に回動可能に軸支された回動体と、この回動体を前記軸支部が前記移動経路上に進退する状態に回動させる駆動部とを備え、
前記情報処理部は、前記軸支部が前記移動経路上から後退した状態に前記回動体が回動される状態で前記ケース体に当接しない前記軸支部近傍に位置する状態に移動可能に前記回動体に配設された
ことを特徴としたディスク装置。
【請求項１１】
スロットインタイプのディスク装置であって、
開口部近傍に設けられディスクの挿入の有無を検知するディスク検知手段と、
前記ディスクの搬入完了状態を検知する搬入検出手段と、
前記ディスク検知手段による前記ディスクの挿入の有無、および、前記搬入検出手段による搬入完了状態の検知状況に基づいて、前記ディスクの挿入および前記ディスクの排出を判断するディスク搬入搬出判断手段とを備え、
前記ディスク搬入搬出手段により前記ディスクの挿入を検知した場合に前記ディスクを回転自在に軸支する軸支部を下げ、前記ディスクの排出を検知した場合には前記軸支部を上げる
ことを特徴としたディスク装置。
【発明の詳細な説明】
【技術分野】
【０００１】
本発明は、ディスク状記録媒体の記録面に記録された情報を読み出す情報処理および記録へ各種情報を記録する情報処理のうちの少なくともいずれか一方を実施するディスク装置に関する。
【背景技術】
【０００２】
従来、この種のディスク装置として、ディスク状記録媒体が利用者により所定位置まで挿入されると、自動的にディスク状記録媒体を所定の処理位置まで搬送する、いわゆるスロットインタイプのディスク装置が知られている。このスロットインタイプのディスク装置は、利用者によりディスク状記録媒体の挿入を常時可能とするため、情報処理時にディスク状記録媒体を回転させるために軸支する軸支部が、情報処理時の位置から後退して、挿入されるディスク状記録媒体が軸支部に接触しない構成が採られている。そして、挿入されて所定の位置まで搬入された時点で、軸支部が情報処理時の位置に移動させてディスク状記録媒体を軸支する。
【発明の開示】
【発明が解決しようとする課題】
【０００３】
ところで、近年の情報処理装置の小型化により、ディスク装置の小型化が望まれている。特に、携帯型のパーソナルコンピュータなどにおいては、小型化が強く要請されている。このため、全体の寸法を小さく設計した場合、軸支部が情報処理時の位置から後退した状態では、軸支部がケース体に近接位置となる。この状態で外部からの衝撃が加わった場合、軸支部やこの軸支部を移動させる構成この移動させる構成に設けられた各種部品などがケース体に当接し、損傷するおそれがある問題が一例として挙げられる。
【０００４】
本発明は、上述したような実情などに鑑みて、小型化が容易なディスク装置を提供することを目的とする。
【課題を解決するための手段】
【０００５】
請求項１に記載の発明は、ディスク状記録媒体が出し入れされる開口部を有したケース体と、このケース体内に配設され、前記ディスク状記録媒体を回転可能に軸支する軸支部を有し前記軸支部が前記ディスク状記録媒体の移動経路上に進退可能に設けられた稼働部と、前記ケース体内に設けられ前記ディスク状記録媒体の記録面に記録された各種情報を読み出す情報処理および前記記録面へ各種情報を記録する情報処理のうちの少なくともいずれか一方を実施する情報処理部と、前記ケース体の前記開口部の近傍に設けられ前記ディスク状記録媒体の有無を検出するディスク検出手段と、前記ケース体内に設けられ前記ディスク状記録媒体が前記情報処理部による前記情報処理可能な搬入完了位置を検出する搬入検出手段と、前記ディスク検出手段が前記ディスク状記録媒体を検出したことを認識すると前記軸支部が前記移動経路上から後退した状態に前記稼働部を動作させ、前記搬入検出手段が前記搬入完了位置を検出および前記ディスク検出手段が前記ディスク状記録媒体を検出できないことを認識すると前記軸支部が前記移動経路上に進出した状態に前記稼働部を動作させる制御をする稼働部制御手段と、を具備したことを特徴としたディスク装置である。
【０００６】
請求項３に記載の発明は、ディスク状記録媒体が出し入れされる開口部を有したケース体と、このケース体内に配設され、前記ディスク状記録媒体を回転可能に軸支する軸支部を有し前記軸支部が前記ディスク状記録媒体の移動経路上に進退可能に設けられた稼働部と、前記ケース体内に設けられ前記ディスク状記録媒体の記録面に記録された各種情報を読み出す情報処理および前記記録面へ各種情報を記録する情報処理のうちの少なくともいずれか一方を実施する情報処理部と、前記ケース体の前記開口部近傍であって、前記ディスク状記録媒体が前記移動経路上に位置する場合に前記ディスク状記録媒体を検出するとともに前記ディスク状記録媒体が前記情報処理部による前記情報処理可能な搬入完了位置に位置する場合に前記ディスク状記録媒体を検出できない位置に設けられたディスク検出手段と、前記ディスク検出手段にて前記ディスク状記録媒体を検出する場合には前記軸支部が前記移動経路上から後退した状態に前記稼働部を動作させ、前記ディスク状記録媒体を検出できない場合には前記軸支部が前記移動経路上に進出した状態に前記稼働部を動作させる制御をする稼働部制御手段と、を具備したことを特徴としたディスク装置である。
【０００７】
請求項５に記載の発明は、ディスク状記録媒体が出し入れされる開口部を有したケース体と、このケース体内に配設され、前記ディスク状記録媒体を回転可能に支持する軸支部を有し前記軸支部が前記ディスク状記録媒体の移動経路上に進退可能に設けられた稼働部と、前記ケース体内に設けられ前記ディスク状記録媒体の記録面に記録された各種情報を読み出す情報処理および前記記録面へ各種情報を記録する情報処理のうちの少なくともいずれか一方を実施する情報処理部と、前記ディスク状記録媒体が前記移動経路上に無い状態および前記ディスク状記録媒体が前記情報処理部による前記情報処理可能な搬入完了位置を検出すると、前記軸支部が前記移動経路上に位置して前記ディスク状記録媒体を軸支する状態に前記稼働部を進出させ、前記ディスク状記録媒体が前記移動経路上を移動する場合には、前記軸支部が前記移動経路上から後退した状態に前記稼働部を後退させる制御をする稼働部制御手段と、を具備したことを特徴としたディスク装置である。
【０００８】
請求項１１に記載の発明は、スロットインタイプのディスク装置であって、開口部近傍に設けられディスクの挿入の有無を検知するディスク検知手段と、前記ディスクの搬入完了状態を検知する搬入検出手段と、前記ディスク検知手段による前記ディスクの挿入の有無、および、前記搬入検出手段による搬入完了状態の検知状況に基づいて、前記ディスクの挿入および前記ディスクの排出を判断するディスク搬入搬出判断手段とを備え、前記ディスク搬入搬出手段により前記ディスクの挿入を検知した場合に前記ディスクを回転自在に軸支する軸支部を下げ、前記ディスクの排出を検知した場合には前記軸支部を上げることを特徴としたディスク装置である。
【発明を実施するための最良の形態】
【０００９】
〔第１の実施の形態〕
以下、本発明の第１の実施の形態を図面に基づいて説明する。本実施の形態では、ディスク状記録媒体として光ディスクに情報を記録および読み出すいわゆるスロットインタイプのディスク装置を例示して説明するが、情報の読み出しあるいは記録のみでもよい。また、ディスク状記録媒体としては、光ディスクに限らず、磁気ディスク、光磁気ディスクなどのいずれのディスク状記録媒体を対象とすることができる。さらに、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよく、薄型の構成に限られない。
【００１０】
（ディスク装置の構造）
図１は、第１の実施の形態に係るディスク装置の構成を示す一部を切り欠いた平面図である。図２は、光ディスクの挿入待機状態におけるディスク装置の構成を示す一部を切り欠いた平面図である。図３は、光ディスクの挿入当初または排出完了前におけるディスク装置の構成を示す一部を切り欠いた平面図である。図４は、光ディスクの挿入完了前または排出当初におけるディスク装置の構成を示す一部を切り欠いた平面図である。図５は、光ディスクが搬入完了位置に位置するディスク装置の構成を示す一部を切り欠いた平面図である。図６は、ディスク装置のディスク処理部の回動状態を説明する説明図で、（Ａ）は図５に対応した光ディスクが搬入完了位置に位置する状態の概念図、（Ｂ）は図３および図４に対応し光ディスクの挿入時または排出時の状態の概念図、（Ｃ）は図２に対応し挿入待機状態の状態の概念図である。なお、図２ないし図５は、説明の都合上、ディスク処理部の一部構成などを省略したものである。
【００１１】
図１ないし図５において、１００はディスク装置で、このディスク装置１００は、例えば携帯型のパーソナルコンピュータなどの電気機器に装着されるいわゆる薄型のスロットインタイプで、ディスクであるディスク状記録媒体としての光ディスク１０の記録面１０Ａに記録された情報を読み出す情報処理および記録へ各種情報を記録する情報処理をする。そして、ディスク装置１００は、例えば金属製で内部空間を有する略箱形状のケース体１１０を有している。このケース体１１０には、一側面に例えば合成樹脂にて細長板状に形成された化粧板１１１が設けられている。この化粧板１１１には、長手方向に沿ってスリット状に設けられた図示しない開口部が設けられている。また、ケース体１１０内には、いわゆるトラバースメカと称されるディスク処理部２００と、このディスク処理部２００を移動させる駆動部３００と、光ディスク１０を搬送する搬送手段４００と、図示しない排出検出手段およびディスク搬入搬出手段としても機能する稼働部制御手段が搭載された制御回路部と、が配設されている。そして、ディスク処理部２００および駆動部３００にて本発明の稼働部が構成される。
【００１２】
ディスク処理部２００は、例えば金属板にて平面視で扁平八角形状に形成された回動体としての台座部２１０を有している。この台座部２１０は、略中央に切欠部２１１が設けられ枠状に形成されている。そして、この台座部２１０には、図１に示すように、周縁近傍である長手方向の一端側に位置して、ディスク回転駆動手段２２０が配設されている。このディスク回転駆動手段２２０は、例えば図６に示すように、スピンドルモータなどの回転用電動モータ２２１と、この回転用電動モータ２２１の出力軸２２１Ａに一体的に設けられたターンテーブル２２２と、を有している。回転用電動モータ２２１は、制御回路部に制御可能に接続され、制御回路部から供給される電力により駆動する。ターンテーブル２２２は、光ディスク１０の中心に開口形成された軸孔１０Ｂに嵌挿し光ディスク１０を回転可能に軸支する軸支部である略円柱状の回転軸２２２Ａと、この回転軸２２２Ａの外周面にフランジ状に突設され光ディスク１０の軸孔１０Ｂの周縁が載置されて支持する鍔部２２２Ｂとを有している。
【００１３】
また、台座部２１０には、処理移動手段２３０が配設されている。この処理移動手段２３０は、一対のガイドシャフト２３１およびステッピングモータなどの移動用電動モータ２３２を備えている。そして、一対のガイドシャフト２３１は、例えば金属製の細長棒状に形成され、台座部２１０の切欠部２１１の内周近傍に位置し台座部２１０の長手方向に軸方向が略沿う状態に略平行に配設されている。また、移動用電動モータ２３２は、制御回路部に制御可能に接続され、制御回路部から供給される電力により駆動する。そして、移動用電動モータ２３２は、出力軸２３２Ａの軸方向がガイドシャフト２３１の軸方向に沿う状態で配設されている。この移動用電動モータ２３２の出力軸２３２Ａの外周面には、螺旋状に係合溝２３２Ｂが設けられている。
【００１４】
さらに、台座部２１０には、処理移動手段に支持された情報処理部２４０が配設されている。この情報処理部２４０は、一対のガイドシャフト２３１に架橋する状態で保持された移動保持部２４１を有している。この移動保持部２４１には、ガイドシャフト２３１を移動可能に嵌挿する保持部２４１Ａと、移動用電動モータ２３２の出力軸２３２Ａの係合溝２３２Ｂに係合する移動規制爪部２４１Ｂと、が設けられている。また、情報処理部２４０の移動保持部２４１には、図示しない光源と、この光源からの光を収束するレンズ２４２Ａと、光ディスク１０から反射された光を検出する図示しない光センサとを備えた情報処理部としてのピックアップ２４２が配設されている。ピックアップ２４２は、制御回路部に信号を送受信可能に接続され、制御回路部の制御により、光ディスク１０の記録面１０Ａに記録された各種情報を読み取って制御回路部へ出力したり、制御回路部からの各種情報を記録面に記録したりする。
【００１５】
そして、ディスク処理部２００には、ピックアップ２４２の移動経路およびターンテーブル２２２に対応して切り欠き形成された図示しないカバー体が台座部２１０を覆うように一体的に取り付けられている。そして、ディスク処理部２００は、台座部２１０における長手方向の一端側であるターンテーブル２２２が設けられた側が回転軸２２２Ａの軸方向に略沿う方向で回動可能に他端側がケース体１１０に軸支され、ケース体１１０内に配設されている。
【００１６】
駆動部３００は、図１に示すように、ケース体１１０に配設された、例えば制御回路部に動作制御される図示しないモータと、このモータの駆動により移動する移動カム３１０と、を備えている。移動カム３１０は、台座部２１０に外方に向けて突設された係合爪２１２に係合するとともにモータに係合し、モータの駆動により移動されて台座部２１０を回動させる。この台座部２１０の回動は、搬送手段４００により光ディスク１０が搬送される移動経路上に、ターンテーブル２２２の回転軸２２２Ａが進退する状態である。具体的には、ターンテーブル２２２の回転軸２２２Ａが光ディスク１０の移動経路上に進出する状態の図６（Ａ）および図６（Ｃ）に示す進出位置と、ターンテーブル２２２の回転軸２２２Ａが光ディスク１０の移動経路上から後退して待避する状態の図６（Ｂ）に示す後退位置との位置間で回動させる。
【００１７】
搬送手段４００は、図１に示すように、ケース体１１０に配設された、例えば制御回路部に動作制御される図示しない搬送モータと、この搬送モータの駆動により連動する図示しないリンク機構部と、ディスク検出手段としての光センサ４１０と、搬入検出手段としての検知スイッチ４２０と、を備えている。リンク機構部は、検知アーム４３１と、連動アーム４３２と、図示しない搬入アームと、を備えている。これら検知アーム４３１、連動アーム４３２および搬入アームは、例えば金属板などにて細長板状に形成され、それぞれ長手方向の一端部がケース体１１０に回動可能に軸支されている。そして、検知アーム４３１および連動アーム４３２は、長手方向の中間部が互いに回動可能に軸支されて連結され、検知アーム４３１の回動に伴って連動アーム４３２が回動する。また、搬入アームは、他端側がケース体１１０の開口部近傍で内方へ回動可能に配設され、他端側が光ディスク１０の周縁に当接して光ディスク１０を搬入させる。そして、検知アーム４３１および搬入アームの回動側の先端近傍には、軸方向における略中央が径小に形成され周面に光ディスク１０の周縁が当接される図示しない滑車が回転自在に軸支されている。なお、検知アーム４３１および搬入アームは、比較的に強い力が作用した場合には付勢に抗して外側へ移動可能、具体的には光ディスク１０が開口部内へ押し込まれた場合には光ディスク１０の周面により外側へ押し出されるように回動可能となっている。
【００１８】
光センサ４１０は、例えばケース体１１０の開口部の近傍に配設され、開口部から挿入される光ディスク１０を直ちに検出できる位置に配設されている。また、光センサ４１０は、光ディスク１０がピックアップ２４２にて情報処理される位置である搬入完了位置（図５および図６（Ａ）参照）でも検出できる位置に配設されている。そして、この光センサ４１０は、開口部より挿入される光ディスク１０から反射される出射光を検出することにより、光ディスク１０の有無を検出する。この光ディスク１０を検出した旨の信号は、制御回路部の稼働部制御手段へ出力される。
【００１９】
検知スイッチ４２０は、光ディスク１０の搬入完了状態を検知するもので、ケース体１１０に配設され、連動アーム４３２の回動状態によりオンオフする。具体的には、検知アーム４３１が待機位置（図１、図２および図５参照）と略同位置である搬入完了位置（図５参照）近傍でオフし、検知アーム４３１がそれ以外の回動した状態（図３および図４参照）でオンする状態となっている。そして、この検知スイッチ４２０のオンオフ信号は、制御回路部の制御部制御手段へ出力される。この検知スイッチ４２０のオンオフ信号に基づいて、制御回路部の制御部制御手段が光ディスク１０の搬入完了状態を認識する。ここで、搬入完了状態とは、光ディスク１０がディスク装置１００無いに収容されている状態であり、検知スイッチ４２０はこの搬入完了状態を検知する。
【００２０】
制御回路部は、ディスク装置１００全体の動作を制御する。また、制御回路部の稼働部制御手段は、光ディスク１０が開口部から搬入される待機状態、および、光ディスク１０が搬入完了位置に搬入された状態では、図６（Ａ）および図６（Ｃ）に示す進出位置にディスク処理部２００を回動させる。また、稼働部制御手段は、光ディスク１０の搬入時および排出時である光ディスク１０が移動経路上を移動している状態では、図６（Ｂ）に示す後退位置にディスク処理部２００を回動させる。すなわち、稼働部制御手段は、光センサ４１０および検知スイッチ４２０の検知状況に基づいて光ディスク１０の挿入あるいは排出を判断し、挿入されたことを認識した場合には光ディスク１０を回転自在に支持するターンテーブル２２２を備えたディスク処理部２００を移動経路から後退する状態に下げ、排出されたことを認識した場合にはディスク処理部２００を移動経路上に進出する状態に上げる処理をする。
【００２１】
具体的には、光センサ４１０が光ディスク１０を検出すると、稼働部制御手段は、駆動部３００のモータを駆動させて移動カム３１０を移動させ、ディスク処理部２００を図６（Ｂ）に示す後退位置に回動させる。さらに、搬送モータを駆動させ、リンク機構部の検知アーム４３１を図３に示す位置に回動させるとともに搬入アームを内方へ回動させる。この検知アーム４３１の回動により検知スイッチ４２０がオンし、稼働部制御手段は光ディスク１０が搬入または排出による移動経路上を移動中であることを認識する。
【００２２】
この状態から、光ディスク１０が図５に示す搬入完了位置の直前まで搬入されると、検知スイッチ４２０がオフする。制御回路部が検知スイッチ４２０のオフを認識すると、駆動部３００のモータを駆動させて移動カム３１０を移動させ、ディスク処理部２００を図６（Ａ）に示す進出位置へ回動を開始させる。そして、光ディスク１０が図５に示す搬入完了位置まで搬入されるとともに検知アーム４３１が待機位置となって光ディスク１０の移動が規制されると、図６（Ａ）に示すように、回動しているディスク処理部２００のターンテーブル２２２の回転軸２２２Ａが光ディスク１０の略中央に開口する軸孔１０Ｂに嵌挿し、光ディスク１０がターンテーブル２２２に軸支される。
【００２３】
また、稼働部制御手段が例えば光ディスク１０の排出を要求する例えばイジェクトボタンなどの操作がされたことを認識すると、稼働部制御手段は駆動部３００のモータを駆動させて移動カム３１０を移動させ、ディスク処理部２００を図６（Ｂ）に示す後退位置に回動させる。この回動により、ターンテーブル２２２の回転軸２２２Ａが光ディスク１０の軸孔１０Ｂから外れる。このディスク処理部２００の回動後、搬送モータを駆動させ、検知アーム４３１を回動させて光ディスク１０を押し出し、図３に示す状態に光ディスク１０を開口部から排出する。そして、光ディスク１０が開口部から取り出されると、光センサ４１０が光ディスク１０を検知できなくなり、稼働部制御手段は、光ディスク１０が挿入されていないと判断し、図２に示すように、搬送モータを駆動させてリンク機構部を待機位置に移動させるとともに、駆動部３００のモータを駆動させて移動カム３１０を移動させ、ディスク処理部２００を図６（Ｃ）に示す進出位置に回動させ、光ディスク１０の挿入待機状態となる。
【００２４】
（ディスク装置の動作）
次に、上記一実施の形態のディスク装置１００の動作を説明する。
【００２５】
まず、電気機器の電源の投入により、ディスク装置１００に電力が供給される。この電力の供給により、制御回路部の稼働部制御手段は、光センサ４１０から出力される信号に基づいて、光ディスク１０の検出状態すなわち有無を判断する。そして、稼働部制御手段は、光センサ４１０が光ディスク１０を検出していることを認識すると、光ディスク１０が挿入されたままの状態であったと判断し、電気機器の動作を制御する回路へ光ディスク１０が挿入されている旨の信号を出力する。一方、稼働部制御手段は、光センサ４１０が光ディスク１０を検出していない場合、光ディスク１０が挿入されていない搬入待機状態と判断し、光センサ４１０からの光ディスク１０の検出待機状態となる。なお、ピックアップ２４２が待機位置である回転用電動モータ２２１と反対側の位置となる台座部２１０の回動中心側に位置しない場合、制御回路部は移動用電動モータ２３２を駆動させてピックアップ２４２を待機位置に移動させる処理をする。
【００２６】
そして、この搬入待機状態で光センサ４１０が光ディスク１０を検出すると、稼働部制御手段は、駆動部３００のモータを駆動させて移動カム３１０を移動させ、ディスク処理部２００を図６（Ｂ）に示す後退位置に回動させる。さらに、搬送モータを駆動させ、リンク機構部の検知アーム４３１を図３に示す位置に回動させるとともに搬入アームを内方へ回動させる。この検知アーム４３１の回動により検知スイッチ４２０がオンし、稼働部制御手段はこの検知スイッチ４２０のオンを認識すると、光ディスク１０が搬入または排出による移動経路上を移動中すなわち移動経路上に光ディスク１０が位置する状態であることを認識する。
【００２７】
この状態から光ディスク１０が押し込まれると、図３に示すように、光ディスク１０の周縁が検知アーム４３１の滑車に当接する。この状態でさらに光ディスク１０が押し込まれると、検知アーム４３１および搬入アームが付勢に抗して外側へ回動される状態に押し出される。そして、図４に示す位置まで光ディスク１０が押し込まれると、搬入アームが光ディスク１０の周縁を乗り越える状態となり、再び搬入アームが内方に回動する状態に付勢力が作用し、この付勢力により光ディスク１０が搬入完了位置へ搬入される。
【００２８】
そして、光ディスク１０が図５に示す搬入完了位置の手前まで搬入されると、検知スイッチ４２０がオフする。制御回路部は、この検知スイッチ４２０のオフを認識すると、駆動部３００のモータを駆動させて移動カム３１０を移動させてディスク処理部２００を図６（Ａ）に示す進出位置へ回動する処理を開始する。そして、光ディスク１０が図５に示す搬入完了位置まで搬入されると、検知アーム４３１が待機位置となって光ディスク１０の移動が規制される。この位置に光ディスク１０が位置することにより、図６（Ａ）に示すように、回動しているディスク処理部２００のターンテーブル２２２の回転軸２２２Ａが光ディスク１０の略中央に開口する軸孔１０Ｂに嵌挿し、光ディスク１０がターンテーブル２２２に軸支される。
【００２９】
この状態で、制御回路部が光ディスク１０の記録面１０Ａに記録された情報を読み取る読取処理、あるいは、記録面１０Ａへ情報を記録する記録処理の要求を認識、例えば電気機器から出力される要求信号を制御回路部が認識すると、制御回路部は回転用電動モータ２２１、移動用電動モータ２３２およびピックアップ２４２を適宜動作させ、読取処理あるいは記録処理を実施する。
【００３０】
一方、稼働部制御手段が例えば光ディスク１０の排出を要求するイジェクトボタンなどの操作や電気機器から出力される光ディスク１０の排出要求信号を認識すると、稼働部制御手段は光センサ４１０による光ディスク１０の検出状態を認識する。そして、稼働部制御手段は、光センサ４１０が光ディスク１０を検出していないことを認識すると、そのまま待機状態を維持する。なお、ピックアップ２４２が待機位置に位置しない場合、制御回路部は移動用電動モータ２３２を駆動させてピックアップ２４２を待機位置に移動させる処理をする。
【００３１】
また、稼働部制御手段は、光センサ４１０が光ディスク１０を検出していることを認識すると、ピックアップ２４２を待機位置に移動させる処理をした後、駆動部３００のモータを駆動させて移動カム３１０を移動させ、ディスク処理部２００を図６（Ｂ）に示す後退位置に回動させる。この回動により、ターンテーブル２２２の回転軸２２２Ａが光ディスク１０から外れる。そして、このディスク処理部２００の回動後、稼働部制御手段は、搬送モータを駆動させ、検知アーム４３１を回動させて光ディスク１０を押し出し、図３に示す状態に光ディスク１０を開口部から排出する。そして、光ディスク１０が開口部から取り出されると、光センサ４１０が光ディスク１０を検知できなくなる。このことにより、稼働部制御手段は、光ディスク１０が挿入されていないと判断し、搬送モータを駆動させ、検知アーム４３１を回動させて図２に示す待機位置に移動させる。この後、稼働部制御手段は、駆動部３００のモータを駆動させて移動カム３１０を移動させ、ディスク処理部２００を図６（Ａ）に示す進出位置に回動させ、光ディスク１０の挿入待機状態となる。
【００３２】
（第１の実施の形態における作用効果）
上述したように、上記第１の実施の形態では、制御回路部の稼働部制御手段により、光ディスク１０が搬入あるいは排出時における移動経路上に位置しない状態、あるいは、光ディスク１０がピックアップ２４２により読取処理あるいは記録処理可能な搬入完了位置に位置することを認識すると、ターンテーブル２２２の回転軸２２２Ａが光ディスク１０の移動経路上に進出した図６（Ａ）または図６（Ｃ）に示す進出位置となる状態にディスク処理部２００を回動させる。さらに、稼働部制御手段は、光ディスク１０が移動経路上を移動すなわち位置していることを認識すると、ターンテーブル２２２の回転軸２２２Ａが光ディスク１０の搬入および排出時における移動経路上から後退した図６（Ｂ）に示す後退位置となる状態にディスク処理部２００を回動させる。このため、例えば、光ディスク１０の搬入待機状態の際にディスク装置１００に外部から大きな衝撃が加わった場合、ディスク処理部２００は、図６（Ｃ）に示す進出位置であることから、ピックアップ２４２が待機位置からターンテーブル２２２側に移動してしまっても、衝撃に弱いピックアップ２４２がケース体１１０に衝突して損傷するなどの各部位の損傷を防止できる。したがって、薄型のスロットインタイプでもピックアップ２４２の損傷などを防止できるので、容易に小型化できる。
【００３３】
そして、稼働部制御手段は、光センサ４１０が光ディスク１０を検出すると、ターンテーブル２２２の回転軸２２２Ａが光ディスク１０の移動経路上から後退した図６（Ｂ）に示す後退位置となる状態にディスク処理部２００を回動させ、検知アーム４３１が待機位置に位置して検知スイッチ４２０がオフして光ディスク１０が図５に示す搬入完了位置に略位置することを認識、あるいは、光センサ４１０が光ディスク１０を検出できないことを認識すると、ターンテーブル２２２の回転軸２２２Ａが光ディスク１０の移動経路上に進出した図６（Ａ）または図６（Ｃ）に示す進出位置となる状態にディスク処理部２００を回動させる。このため、光センサ４１０および検知スイッチ４２０を設ける簡単な構成で、各部位の損傷を防止でき小型化が容易に図れる構成が容易に得られる。したがって、簡単な構成による製造性の向上やコストの低減なども容易に図れることができる。
【００３４】
また、ターンテーブル２２２を備えたディスク処理部２００に情報処理するピックアップ２４２を一体的に設けた構成とし、このディスク処理部２００を回動させる構成において、光ディスク１０の状態により進出位置または後退位置に回動制御している。このため、特に衝撃に弱いピックアップ２４２の損傷を確実に防止できる。
【００３５】
さらに、開口部の近傍であって光ディスク１０が図５に示す搬入完了位置に略位置する状態で光ディスク１０を検知できる位置に光センサ４１０を配設している。このため、光ディスク１０が開口部から挿入されたことを直ちに検出できるとともに、例えば光ディスク１０の軸孔１０Ｂが偏心している場合などでも確実に検出でき、光ディスク１０の挿入待機状態および光ディスク１０が搬入完了位置に位置するときに図６（Ａ）または図６（Ｃ）に示す進出位置とし、光ディスク１０が搬入または排出時の移動経路上に位置する時は図６（Ｂ）に示す後退位置とする制御が確実にできる。
【００３６】
また、稼働部制御手段は、光ディスク１０の排出を要求する要求信号を認識すると、ピックアップ２４２を待機位置に移動させた後にディスク処理部２００を図６（Ｂ）に示す後退位置に移動させる処理をする。このため、仮に薄型構造でもディスク処理部２００が後退位置に回動した際にピックアップ２４２がケース体１１０に衝突するなどの不都合が生じず、確実に各部位の損傷を防止できる。
【００３７】
〔第２の実施の形態〕
次に、本発明における第２の実施の形態を図面に基づいて説明する。この第２の実施の形態は、上述した第１の実施の形態における光センサ４１０を、開口部近傍であって、光ディスク１０が搬入完了位置に位置する状態では光ディスク１０を検出できなくなる位置に配設した構成である。なお、第１の実施の形態と同一の構成については、同一の符号を付して説明を省略する。図７は、第２の実施の形態に係るディスク装置の構成を示す一部を切り欠いた平面図である。
【００３８】
（ディスク装置の構成）
ディスク装置５００は、上述したように、搬送手段の光センサ４１０を、ケース体１１０の開口部の近傍に配設され、開口部から挿入される光ディスク１０を直ちに検出できる位置に配設されている。さらに、光センサ４１０は、光ディスク１０がピックアップ２４２にて情報処理される位置である搬入完了位置（図５参照）では検出できない位置に配設されている。そして、光センサ４１０は、第１の実施の形態と同様に、光ディスク１０から反射される出射光を検出することにより、光ディスク１０の有無を検出し、検出した旨の信号を制御回路部の稼働部制御手段へ出力する。
【００３９】
（ディスク装置の動作）
第１の実施の形態と同様に電力が供給されたディスク装置５００の制御回路部の稼働部制御手段は、光センサ４１０から出力される信号に基づいて、光ディスク１０の検出状態すなわち有無を判断する。そして、稼働部制御手段は、光センサ４１０が光ディスク１０を検出できないことを認識すると、例えば回転用電動モータ２２１、移動用電動モータ２３２およびピックアップ２４２を適宜動作させ、ピックアップ２４２が光ディスク１０から反射される出射光を検出できるか否かを判断する。そして、ピックアップ２４２が光ディスク１０から信号を検出した場合には、光ディスク１０が挿入されていると判断し、電気機器の動作を制御する回路へ光ディスク１０が挿入されている旨の信号を出力する。一方、稼働部制御手段は、ピックアップ２４２が光ディスク１０から信号を検出できない場合には、光ディスク１０が挿入されていないと判断し、光センサ４１０からの光ディスク１０の検出待機状態となる。なお、ピックアップ２４２が待機位置である回転用電動モータ２２１と反対側の位置となる台座部２１０の回動中心側に位置しない場合、制御回路部は移動用電動モータ２３２を駆動させてピックアップ２４２を搬入待機位置に移動させる処理をする。
【００４０】
そして、この搬入待機状態で光センサ４１０が光ディスク１０を検出すると、稼働部制御手段は、光ディスク１０を検出した旨の例えばフラグ情報を生成するとともに、駆動部３００のモータを駆動させて移動カム３１０を移動させ、ディスク処理部２００を第１の実施の形態における図６（Ｂ）に示す後退位置と同様に回動させる。さらに、搬送モータを駆動させ、リンク機構部の検知アーム４３１を第１の実施の形態における図４に示す位置と同様に回動させるとともに搬入アームを内方へ回動させる。この検知アーム４３１の回動により検知スイッチ４２０がオンし、稼働部制御手段はこの検知スイッチ４２０のオンを認識すると、光ディスク１０が搬入または排出による移動経路上を移動中すなわち移動経路上に光ディスク１０が位置する状態であることを認識する。
【００４１】
この状態から光ディスク１０が押し込まれると、第１の実施の形態における図６（Ｂ）と同様に、光ディスク１０の周縁が検知アーム４３１の滑車に当接する。この状態でさらに光ディスク１０が押し込まれると、検知アーム４３１および搬入アームが付勢に抗して外側へ回動される状態に押し出される。そして、第１の実施の形態における図４に示す位置と同様の位置まで光ディスク１０が押し込まれると、搬入アームが光ディスク１０の周縁を乗り越える状態となり、再び搬入アームが内方に回動する状態に付勢力が作用し、この付勢力により光ディスク１０が搬入完了位置へ搬入される。
【００４２】
そして、光ディスク１０が第１の実施の形態における図５に示す搬入完了位置と同様の搬入完了位置まで搬入されると、検知アーム４３１が待機位置となって光ディスク１０の移動が規制される。この状態で、光センサ４１０が光ディスク１０を検出できなくなるとともに、検知スイッチ４２０がオフする。このことにより、稼働部制御手段は、既にフラグ情報を生成しているため、光ディスク１０が搬入完了位置に位置すると判断し、第２のフラグ情報を生成する。そして、稼働部制御手段は、駆動部３００のモータを駆動させて移動カム３１０を移動させ、ディスク処理部２００を第１の実施の形態における図６（Ａ）に示す進出位置と同様に回動させる。この回動により、ターンテーブル２２２の回転軸２２２Ａが光ディスク１０の軸孔１０Ｂに嵌挿し、光ディスク１０がターンテーブル２２２に軸支される。
【００４３】
この状態で、制御回路部が光ディスク１０の記録面１０Ａに記録された情報を読み取る読取処理、あるいは、記録面１０Ａへ情報を記録する記録処理の要求を認識、例えば電気機器から出力される要求信号を制御回路部が認識すると、制御回路部は回転用電動モータ２２１、移動用電動モータ２３２およびピックアップ２４２を適宜動作させ、読取処理あるいは記録処理を実施する。
【００４４】
一方、稼働部制御手段が例えば光ディスク１０の排出を要求するイジェクトボタンなどの操作や電気機器から出力される光ディスク１０の排出要求信号を認識すると、稼働部制御手段は第２のフラグ情報が生成されているため、光ディスク１０が挿入されていると判断する。そして、稼働部制御手段は、ピックアップ２４２が待機位置に位置しない場合、制御回路部は移動用電動モータ２３２を駆動させてピックアップ２４２を待機位置に移動させる処理をする。この後、駆動部３００のモータを駆動させて移動カム３１０を移動させ、ディスク処理部２００を図６（Ｂ）に示す後退位置と同様に回動させる。この回動により、ターンテーブル２２２の回転軸２２２Ａが光ディスク１０から外れる。そして、このディスク処理部２００の回動後、稼働部制御手段は、搬送モータを駆動させ、検知アーム４３１を回動させて光ディスク１０を押し出し、図４に示す状態と同様に光ディスク１０を開口部から排出する。この光ディスク１０の排出により、光センサ４１０は再び光ディスク１０を検出する。このことにより、稼働部制御手段は第２のフラグ情報を生成している状態で光ディスク１０を検出したことにより、光ディスク１０が排出されていると判断し、第２のフラグ情報を削除する処理をする。そして、光ディスク１０が開口部から取り出されると、光センサ４１０が光ディスク１０を検知できなくなる。このことにより、稼働部制御手段は、光ディスク１０の排出が完了したと判断し、フラグ情報を削除し、搬送モータを駆動させ、検知アーム４３１を回動させて図６（Ａ）に示す待機位置と同様に移動させる。この後、稼働部制御手段は、駆動部３００のモータを駆動させて移動カム３１０を移動させ、ディスク処理部２００を図６（Ａ）に示す進出位置と同様に回動させ、光ディスク１０の挿入待機状態となる。
【００４５】
（第２の実施の形態における作用効果）
上述したように、上記第２の実施の形態では、上記第１の実施の形態の作用効果と同様に、光ディスク１０が移動経路上に位置する場合には図６（Ｂ）に示す後退位置となる状態と同様にディスク処理部２００を回動させ、光ディスク１０が移動経路上に位置しない状態、あるいは、光ディスク１０が搬入完了位置に位置することを認識すると図６（Ａ）または図６（Ｃ）に示す進出位置となる状態と同様にディスク処理部２００を回動させるため、薄型のスロットインタイプでもピックアップ２４２の損傷などの各部位の損傷を防止でき、容易に小型化できる。
【００４６】
そして、開口部の近傍であって光ディスク１０が搬入完了位置に位置する状態で光ディスク１０を検出できない位置に光センサ４１０を配設している。このため、光センサ４１０が光ディスク１０を検出する場合には移動経路上に位置すると判断し、光センサ４１０が光ディスク１０を検出しない場合には、移動経路上に位置しない状態、あるいは、光ディスク１０が搬入完了位置に位置すると認識することが簡単な構成で容易にできる。このため、構成の簡略化が容易に図れ、より小型軽量化さらには製造性の向上やコストの低減なども容易に図れることができる。特に、検知スイッチ４２０を設けなくても、フラグ情報を生成するなどにより、光ディスク１０が挿入されていないのか搬入完了位置に位置するのかが容易に判断でき、より構成の簡略化が図れる。
【００４７】
また、光ディスク１０の検出状態によりフラグ情報を生成するため、光センサ４１０を光ディスク１０が搬入完了位置では検出できなくても、確実に光ディスク１０の搬入状態を判断でき、各部位の損傷を防止でき小型化が容易に図れる構成が確実に得られる。
【００４８】
〔実施形態の変形〕
なお、本発明は、上述した各実施の形態に限定されるものではなく、本発明の目的を達成できる範囲で以下に示される変形をも含むものである。
【００４９】
すなわち、本発明のディスク装置としては、上述したように、光ディスク１０を対象とし薄型で電気機器に装着されるスロットインタイプの構成について説明したが、これに限らず、磁気ディスク、光磁気ディスクなど、光や磁気などにより情報を再生あるいは記録可能ないずれのディスク状記録媒体を利用する構成を対象とすることができる。また、電気機器に装着される構成に限らず、ディスク装置単体で機能する構成でもでき、さらには薄型の構成に限らず、いずれのスロットインタイプにも適用できる。
【００５０】
そして、ディスク装置１００，５００の動作を制御する制御回路部に搭載された稼働部制御手段にて制御する構成について説明したが、例えば稼働部制御手段を独立した回路構成として構成したり、プログラムとして構成させたりするなどしてもよい。
【００５１】
また、光センサ４１０および検知スイッチ４２０により、稼働部制御手段がディスク処理部２００を進出位置あるいは後退位置に回動する構成について説明したが、光ディスク１０が移動経路上に無い状態および光ディスク１０が搬入完了位置に位置することを検出するとともに、光ディスク１０が移動経路上に位置することを検出する構成としては、光センサ４１０および検知スイッチ４２０の他、第２の実施の形態に記載のようにフラグ情報を生成する構成を利用して検知スイッチ４２０を設けない構成とするなど、いずれの構成にて検出してもよい。
【００５２】
さらに、稼働部制御手段が排出要求の要求信号に基づいて光ディスク１０を排出する動作を制御して説明したが、排出要求を別途設けた排出検出手段にて検出することで動作制御させるなどしてもよい。
【００５３】
また、ディスク処理部２００にピックアップ２４２を設けた構成として説明したが、ディスク処理部２００は、少なくともケース体１１０に回動可能に軸支される台座部２１０とターンテーブル２２２を備えた構成として、例えばピックアップ２４２はケース体１１０に設ける構成としてもよい。さらには、ディスク処理部２００に一体的に回動させる構成を設けて本発明の稼働部を構成するなどしてもよい。
【００５４】
さらに、光ディスク１０を搬送する構成としては、上述したリンク機構部を備えた構成に限らず、例えばロータを適宜回転駆動させて搬入あるいは排出させるなど、いずれの構成が利用できる。
【００５５】
そして、ディスク処理部２００を回動させる構成として、モータの駆動により移動カム３１０が移動する構成で説明したが、例えば検知アーム４３１の回動に伴って移動カム３１０が移動することにより回動させるなど、いずれの構成が利用できる。また、ディスク処理部２００を回動する構成に限らず、例えば全体的にスライド移動させるなど、ターンテーブル２２２の回転軸２２２Ａが光ディスク１０の移動経路上に進退可能ないずれの構成としてもよい。さらに、光ディスク１０が搬入完了位置の直前から回動し始める構成について説明したが、搬入完了位置に位置してから回動を開始させてもよい。なお、搬入完了位置の直前から回動し始め、搬入完了位置では回転軸２２２Ａが軸孔１０Ｂに嵌挿する構成としているので、動作が平行して進行するため、情報処理を開始するまでの時間が短くなり、使い勝手を向上できる。
【００５６】
また、光ディスク１０を回転可能に支持する構成として、ターンテーブル２２２の回転軸２２２Ａが軸支する構成について説明したが、例えばターンテーブル２２２と、ケース体１１０に回転可能に配設した回転子とにて、ディスク処理部２００が進出位置に回動した際に、磁力にて光ディスク１０を挾持する構成とするなど、記録媒体を支持するいずれの構成が利用できる。
【００５７】
その他、本発明の実施の際の具体的な構造および手順は、本発明の目的を達成できる範囲で他の構造などに適宜変更できる。
【００５８】
〔実施の形態の効果〕
上述したように、稼働部制御手段により、光ディスク１０が移動経路上に位置しない状態、あるいは、光ディスク１０が搬入完了位置に略位置することを認識すると、ターンテーブル２２２の回転軸２２２Ａが光ディスク１０の移動経路上に進出した図６（Ａ）または図６（Ｃ）に示す進出位置となる状態とし、光ディスク１０が移動経路上に位置することを認識すると、ターンテーブル２２２の回転軸２２２Ａが移動経路上から後退した図６（Ｂ）に示す後退位置となる状態に制御する。このため、例えば、光ディスク１０の搬入待機状態の際にディスク装置１００に外部から大きな衝撃が加わった場合、ディスク処理部２００は、図６（Ｃ）に示す進出位置であることから、ピックアップ２４２が待機位置からターンテーブル２２２側に移動してしまっても、衝撃に弱いピックアップ２４２が薄型構造のケース体１１０に衝突して損傷するなどの各部位の損傷を防止でき、容易に小型化できる。
【００５９】
また、光センサ４１０が光ディスク１０を検出すると、ターンテーブル２２２の回転軸２２２Ａが光ディスク１０の移動経路上から後退した図６（Ｂ）に示す後退位置となる状態と同様にし、検知スイッチ４２０がオフして光ディスク１０が図５に示す搬入完了位置に略位置することを認識、あるいは、光センサ４１０が光ディスク１０を検出できないことを認識すると、ターンテーブル２２２の回転軸２２２Ａが光ディスク１０の移動経路上に進出した図６（Ａ）または図６（Ｃ）に示す進出位置と同様な状態に制御する。このため、例えば、光ディスク１０の搬入待機状態の際にディスク装置１００に外部から大きな衝撃が加わった場合、ディスク処理部２００は、図６（Ｃ）に示す進出位置と同様の位置であることから、ピックアップ２４２が待機位置からターンテーブル２２２側に移動してしまっても、衝撃に弱いピックアップ２４２が薄型構造のケース体１１０に衝突して損傷するなどの各部位の損傷を防止でき、容易に小型化できる。
【図面の簡単な説明】
【００６０】
【図１】本発明における第１の実施の形態に係るディスク装置を示す一部を切り欠いた平面図である。
【図２】前記第１の実施の形態における光ディスクの挿入待機状態におけるディスク装置の構成を示す一部を切り欠いた平面図である。
【図３】前記第１の実施の形態における光ディスクの挿入当初または排出完了前におけるディスク装置の構成を示す一部を切り欠いた平面図である。
【図４】前記第１の実施の形態における光ディスクの挿入完了前または排出当初におけるディスク装置の構成を示す一部を切り欠いた平面図である。
【図５】前記第１の実施の形態における光ディスクが搬入完了位置に位置するディスク装置の構成を示す一部を切り欠いた平面図である。
【図６】前記第１の実施の形態におけるディスク装置のディスク処理部の回動状態を説明する説明図で、（Ａ）は図５に対応した光ディスクが搬入完了位置に位置する状態の概念図、（Ｂ）は図３および図４に対応し光ディスクの挿入時または排出時の状態の概念図、（Ｃ）は図２に対応し挿入待機状態の状態の概念図である。
【図７】本発明における第２の実施の形態に係るディスク装置を示す一部を切り欠いた平面図である。
【符号の説明】
【００６１】
１０…ディスクであるディスク状記録媒体
１００，５００…ディスク装置
１１０…ケース体
２２２Ａ…軸支部としての回転軸
２４２…情報処理部としてのピックアップ
４１０…ディスク検出手段としての光センサ
４２０…搬入検出手段としての検知スイッチ
【図１】
2005285238.tif 000003
【図２】
2005285238.tif 000004
【図３】
2005285238.tif 000005
【図４】
2005285238.tif 000006
【図５】
2005285238.tif 000007
【図６】
2005285238.tif 000008
【図７】
2005285238.tif 000009